(57)【要約】【課題】電源コードを収納するコードリールを有する炊飯器において、内部構成部品の配置の自由度を拡大することにより内部構成部品を効率的に配置し、炊飯器本体の外形を小型化する。【解決手段】炊飯器本体２１内に鍋２２を収納し、この鍋２２の下方に位置する保護枠２４により鍋収納部を構成し、鍋２２を加熱手段２５により加熱するとともに鍋２２の温度を鍋温度検知手段２３により検知する。電源コード３１をコードリール３２ａに収納し、炊飯器本体２１の外郭をボディ３０により構成する。コードリール３２ａに炊飯器の内部構成部品の少なくとも一部を収納可能な空間部３５ａを設ける。【選択図】  図１
2004290345.tif 000002
【特許請求の範囲】
【請求項１】
炊飯器本体と、前記炊飯器本体内に収納される鍋と、前記炊飯器本体の鍋収納部を構成し鍋の下方に位置する保護枠と、前記鍋の温度を検知する鍋温度検知手段と、前記鍋を加熱する加熱手段と、電源コードを収納するコードリールと、前記炊飯器本体の外郭を構成するボディとを備え、前記コードリールに炊飯器の内部構成部品の少なくとも一部を収納可能な空間部を設けた炊飯器。
【請求項２】
コードリールの形状を偏平な円板形状とし、空間部をコードリールの略中央部に凹形状を設け構成した請求項１記載の炊飯器。
【請求項３】
コードリールの形状を偏平な円板形状とし、空間部をコードリールの略中央部に貫通穴を設け構成した請求項１記載の炊飯器。
【請求項４】
コードリールを鍋の下方に配設し、空間部に鍋温度検知手段、加熱手段、保護枠の少なくともいずれかを収納可能とした請求項１〜３のいずれか１項に記載の炊飯器。
【請求項５】
電源コードと加熱手段の間に電磁波を遮へいする遮へい手段を設けた請求項４記載の炊飯器。
【請求項６】
コードリールを鍋の側方に配設し、空間部に制御基板を構成する部材を収納可能とした請求項１〜３のいずれか１項に記載の炊飯器。
【発明の詳細な説明】
【０００１】
【発明の属する技術分野】
本発明は、電源コードを収納するコードリールを有する炊飯器に関するものである。
【０００２】
【従来の技術】
近年、ユーザーの家庭の台所事情により炊飯器の小型化への要望が高まってきている。
【０００３】
ここで、炊飯器は炊飯動作において電力の供給が停止してしまうとご飯を炊き上げることができないため、炊飯器の電源コードは、例えばマグネットプラグのような着脱自在な電源コードを用いるのではなく、電源コードが機械的に固定されており、さらに、電源コードを収納するケースを有しているコンパクトで電源コードの収納性に優れた円板形の偏平な形状のコードリールを用いるのが主流である。
【０００４】
従来、この種の炊飯器は図７に示すように構成していた。以下、その構成について説明する。
【０００５】
図７に示すように、炊飯器本体１は、ヒンジ部２を介して蓋３を開閉自在に取りつけ、この炊飯器本体１は胴部材４および底部材５を有し、その内部に鍋６を収納するとともに、鍋６の底部外周に保護枠７を設け、保護枠７の外周に加熱手段である誘導加熱コイル（図示せず）を設けている。また、保護枠７の中央下部に鍋底の温度を検知する鍋温度検知手段（図示せず）を設けるのが一般的である。
【０００６】
そして、ヒンジ部２の下方において、胴部材４と底部材５の内側に円板形の偏平なケースのコードリール８を垂直方向に収納される（例えば、特許文献１参照）。
【０００７】
また、前述と同様の構成で、円板形の偏平なケースのコードリール８を胴部材４の内側で保護枠７と底部材５の間に水平に収納、または底部材の下方に水平に取付けるのが一般的である。
【０００８】
【特許文献１】
特開平１１−２６７０１６号公報（第３頁、図１）
【０００９】
【発明が解決しようとする課題】
しかしながら、従来の炊飯器では、コンパクトな形状ではあるが円板形の偏平な形状のコードリール８を収納するために、コードリール８の外形より大きな収納スペースを確保しなければならなかった。この収納スペースは炊飯器の内部構成部品である加熱手段、制御基板などの配置位置を避けた炊飯器本体１内の鍋３の側方にまたは下方にコードリール８を垂直方向や水平方向に配置し、または炊飯器本体１の下部にコードリール８を水平方向に配置しなければならず、よって炊飯器本体１の外形はコードリール８の外形分を側方または高さ方向に拡大しなければならず、小型化には限りがあった。
【００１０】
本発明は上記従来の課題を解決するもので、内部構成部品の配置の自由度を拡大することにより内部構成部品を効率的に配置し、炊飯器本体の外形を小型化することを目的としている。
【００１１】
【課題を解決するための手段】
本発明は上記目的を達成するために、炊飯器本体内に鍋を収納し、この鍋の下方に位置する保護枠により鍋収納部を構成し、鍋を加熱手段により加熱するとともに鍋の温度を鍋温度検知手段により検知し、電源コードをコードリールに収納し、炊飯器本体の外郭をボディにより構成し、コードリールに炊飯器の内部構成部品の少なくとも一部を収納可能な空間部を設けたものである。
【００１２】
これにより、コードリールに設けた空間部に内部構成部品または内部構成部品の凸部分を配置することにより内部構成部品の配置の自由度を拡大することができて、内部構成部品を効率的に配置することができ、炊飯器本体の外形を小型化することができる。
【００１３】
【発明の実施の形態】
本発明の請求項１に記載の発明は、炊飯器本体と、前記炊飯器本体内に収納される鍋と、前記炊飯器本体の鍋収納部を構成し鍋の下方に位置する保護枠と、前記鍋の温度を検知する鍋温度検知手段と、前記鍋を加熱する加熱手段と、電源コードを収納するコードリールと、前記炊飯器本体の外郭を構成するボディとを備え、前記コードリールに炊飯器の内部構成部品の少なくとも一部を収納可能な空間部を設けたものであり、コードリールに設けた空間部に内部構成部品または内部構成部品の凸部分を配置することにより部品配置の自由度を拡大することができて、内部構成部品を効率的に配置することができ、炊飯器本体の外形を小型化することができる。
【００１４】
請求項２に記載の発明は、上記請求項１に記載の発明において、コードリールの形状を偏平な円板形状とし、空間部をコードリールの略中央部に凹形状を設け構成したものであり、内部構成部品を凹形状の空間部で覆い配置することができて、内部構成部品を効率的に配置することができ、炊飯器本体の外形を小型化することができる。
【００１５】
請求項３に記載の発明は、上記請求項１に記載の発明において、コードリールの形状を偏平な円板形状とし、空間部をコードリールの略中央部に貫通穴を設け構成したものであり、コードリールの厚みより大きな内部構成部品を貫通穴の空間部に配置することができて、内部構成部品を効率的に配置することができ、炊飯器本体の外形を小型化することができる。
【００１６】
請求項４に記載の発明は、上記請求項１〜３に記載の発明において、コードリールを鍋の下方に配設し、空間部に鍋温度検知手段、加熱手段、保護枠の少なくともいずれかを収納可能としたものであり、炊飯器本体の側方向への外形を拡大させることなく、また炊飯器の高さを構成する部品と同じ高さにコードリールを配置することにより炊飯器本体の高さ方向への外形の拡大も同時に防止することができる。
【００１７】
請求項５に記載の発明は、上記請求項４に記載の発明において、電源コードと加熱手段の間に電磁波を遮へいする遮へい手段を設けたものであり、加熱手段より発生する電磁波がコードリール内の電源コードへ到達するのを遮へいすることができる。電磁波を遮へいすることにより、電源コードの発熱や電源ノイズ発生による炊飯器の誤動作などを防止しすることができ、電源コードと加熱手段の距離を小さくすることができる。
【００１８】
請求項６に記載の発明は、上記請求項１〜３に記載の発明において、コードリールを鍋の側方に配設し、空間部に制御基板を構成する部材を収納可能としたものであり、コードリールを配置することにより炊飯器本体の側方向へ外形が拡大するのを防止することができる。
【００１９】
【実施例】
以下、本発明の実施例について、図面を参照しながら説明する。
【００２０】
（実施例１）
図１に示すように、炊飯器本体２１は、上面が開口し、この炊飯器本体２１の内部に鍋２２の収納部である保護枠２４を配設し、保護枠２４に鍋２２の底部の温度を検知する鍋温度検知手段２３を設けている。保護枠２４の外側に誘導コイルにより構成される加熱手段２５を設けており、この加熱手段２５の電磁作用により鍋２２を加熱する。鍋２２は、炊き上がったご飯をしゃもじでほぐしたり、使用後の鍋２２を洗う際に鍋２２の底ふちが角張っていると使い勝手が悪いため、鍋２２の底ふちには丸み３８を持たせている。
【００２１】
保護枠２４と加熱手段２５の鍋２２の底ふちに相対する形状は、鍋２２の略丸み３８を持たせた形状に合わせた形状となっている。鍋温度検知手段２３は、鍋２２の温度を測定することにより鍋２２内の米の温度を確認しているが、多量から少量の炊飯量にばらつきなく対応できるよう少量炊飯時にも米が存在する鍋２２の底部中央の温度を検知するよう配置している。
【００２２】
保護枠２４の側方近傍には加熱手段２５を制御する制御基板２６を基板面が略垂直となるよう設けており、この制御基板２６に加熱手段２５を駆動する駆動素子２７などの電子部品とアルミニウムを成形した放熱フィン２８を配置している。さらに放熱フィン２８近傍には冷却効率を高めるため冷却ファン３９を配置している。
【００２３】
保護枠２４の鍋温度検知手段２３を取り付ける部分には鍋温度検知手段２３を支持する支持台２９を設けており、鍋温度検知手段２３は支持台２９と鍋温度検知手段２３の間に設けたばね４０により鍋２２に圧接するよう構成し、保護枠２４に保持している。
【００２４】
保護枠２４の下面と炊飯器本体２１の外郭を構成するボディ３０の底面との間に、電源コード３１を収納するケース３３ａと蓋３４ａにより構成し、図２に示すように、偏平な円板形状のコードリール３２ａを略水平に配置している。コードリール３２ａのケース３３ａの略中央部に支持台２９の外形より大きな貫通穴を設けて空間部３５ａを形成しており、図３に示すように、コードリール３２ａは空間部３５ａに支持台２９を内包して収納可能な位置に配設している。
【００２５】
また、電源コード３１は加熱手段２５より発生する電磁波により発熱や電源ノイズを発生させるなどの影響があるため、電源コード３１と加熱手段２５の間に、加熱手段２５より発生する電磁波が電源コード３１に到達するのを防止、低減させるアルミニウム板により形成した遮へい手段３７を配置している。
【００２６】
上記構成において、コードリール３２ａの配置と炊飯器本体２１の外形について説明する。空間部３５ａを有しないコードリールならば、鍋２２の側方に配置した場合は、炊飯器本体の側外形を大きくし、また、保護枠２４とボディ３０の間に配置した場合は、炊飯器本体の高さを大きくしなければ構成できない。
【００２７】
ここで、コードリール３２ａの空間部３５ａを、鍋温度検知手段２３を支持する支持台２９を内包して収納可能な位置に配設し、電源コード３１と加熱手段２５の間に遮へい手段３７を配置することにより、コードリール３２ａを支持台２９と同じ高さで、かつ加熱手段２５に近接した位置に配置することができ、炊飯器本体２１の側外形・高さとも拡大することなく炊飯器本体２１内に配設することができる。
【００２８】
このように本実施例によれば、コードリール３２ａに鍋温度検知手段２３を支持する支持台２９を内包して収納可能な空間部３５ａを設けたので、コードリール３２ａに設けた空間部３５ａに、鍋温度検知手段２３を支持する支持台２９を配置することにより部品配置の自由度を拡大することができて、内部構成部品を効率的に配置することができ、炊飯器本体２１の外形を小型化することができる。
【００２９】
また、コードリール３２ａの形状を偏平な円板形状とし、空間部３５ａをコードリール３２ａの略中央部に貫通穴を設け構成したので、コードリール３２ａの厚みより大きな内部構成部品を貫通穴の空間部３５ａに配置することができる。
【００３０】
なお、本実施例では、加熱手段を誘導コイル２３としたが、加熱手段は誘導コイル方式に限るものではない。
【００３１】
また、ケース３３ａを電磁波の遮へい性のある材料で形成し、コードリール３２ａの外郭構成と電磁波の遮へい性を兼ね備えた構成とすることにより、遮へい手段３７の配置スペースをなくすることができ、炊飯器本体２１の外形をさらにコンパクト化することができる。
【００３２】
（実施例２）
図４に示すように、コードリール３２ｂは、電源コード３１を収納するケース３３ｂと蓋３４ｂにより構成して偏平な円板形状とし、ケース３３ｂの略中央部に貫通穴を設けて空間部３５ｂを形成している。コードリール３２ｂを鍋２２の下方に配設し、空間部３５ｂに鍋温度検知手段２３を支持する支持台２９と、誘導コイルにより構成される加熱手段２５を内包して収納可能とするよう構成している。他の構成は上記実施例１と同じであり、同一符号を付して説明を省略する。
【００３３】
上記構成において、鍋底の手入れ性を向上するなどの理由により鍋２２の底ふちの丸みを大きくした形状の場合は、コードリール３２ｂを構成するケース３３ｂと蓋３４ｂにより形成する空間部３５ｂを拡大し、加熱手段２５を内包して収納可能とする構成とすることにより、保護枠２４を介した丸み３８の下方のスペースにコードリール３２ｂを配置することができる。
【００３４】
このように本実施例によれば、コードリール３２ｂを鍋の下方に配設し、空間部３５ｂに鍋温度検知手段２３を支持する支持台２９と、誘導コイルにより構成される加熱手段２５を内包して収納可能とするよう構成しているので、炊飯器本体２１の側方向への外形を拡大させることなく、また炊飯器の高さを構成する部品と同じ高さにコードリール３２ｂを配置することにより炊飯器本体２１の高さ方向への外形の拡大も同時に防止することができる。
【００３５】
なお、本実施例では、加熱手段を誘導コイル２３としたが、加熱手段は誘導コイル方式に限るものではない。
【００３６】
（実施例３）
図５に示すように、コードリール３２ｃは、電源コード３１を収納するケース３３ｃと蓋３４ｃにより構成して偏平な円板形状とし、ケース３３ｃの略中央部に貫通穴を設けて空間部３５ｃを形成している。このコードリール３２ｃを保護枠２４の側方に基板面を略垂直に設けた制御基板２６の外方に配置し、空間部３５ｃは制御基板２６上に配置し他の部品より突出している駆動素子２７などの形状が大きい部品を内包して収納可能とするよう構成している。他の構成は上記実施例１と同じであり、同一符号を付して説明を省略する。
【００３７】
上記構成において、コードリール３２ｃの配置と炊飯器本体２１の外形について説明する。空間部３５ｃを有しないコードリールならば、鍋２２の側方に配置した場合は、炊飯器本体の側外形を大きくし、また、保護枠２４とボディ３０の間に配置した場合は、炊飯器本体の高さを大きくしなければ構成できない。
【００３８】
ここで、空間部３５ｃを有するコードリール３２ｃを制御基板２６の外方に配置し、制御基板２６上の形状の大きい駆動素子２７を空間部３５ｃで内包して収納可能とする構成とすることにより、コードリール３２ｃを空間部３５ｃで駆動素子２７を内包した高さだけ、制御基板２６に近接して配置することができ、炊飯器本体２１の側外形を小型化することができる。
【００３９】
このように本実施例によれば、コードリール３２ｃを鍋２２の側方に配設し、空間部３５ｃに制御基板２６上に配置し他の部品より突出している駆動素子２７などの形状が大きい部品を内包して収納可能としたので、コードリール３２ｃを配置することにより炊飯器本体２１の側方向へ外形が拡大するのを防止することができる。
【００４０】
なお、本実施例では、加熱手段を誘導コイル２３としたが、加熱手段は誘導コイル方式に限るものではない。
【００４１】
また、制御基板２６を垂直に設けているが、制御基板２６の配置は垂直に限るものではなく、コードリール３２ｃを任意位置・角度に配置した制御基板２６の側近傍に配置することにより同様の効果を得ることができる。
【００４２】
また、空間部３５ｃは駆動素子２７を内包して収納可能とするとしたが、空間部３５ｃに内包する制御基板２６上の構成部品は駆動素子２７に限るものではなく、制御基板を支持する支持部材（図示せず）、冷却ファン３９、放熱フィン２８または炊飯器本体２１の外郭部材をビスにより固定する場合のビスを受けるボス（図示せず）などコードリールに対し鍋側または炊飯器本体外郭側のどちらの構成部品であっても何ら問題はなく、同様の効果を得ることができる。
【００４３】
（実施例４）
図６に示すように、コードリール３２ｄは、電源コード３１を収納するケース３３ｄと蓋３４ｄにより構成して偏平な円板形状とし、ケース３３ｄの略中央部に凹形状を設けて空間部３５ｄを形成している。このコードリール３２ｄを保護枠２４の側方に基板面を略垂直に設けた制御基板２６の外方に配置し、空間部３５ｄは制御基板２６上に配置し他の部品より突出している駆動素子２７などの形状が大きい部品を内包して収納可能とするよう構成している。他の構成は上記実施例１と同じであり、同一符号を付して説明を省略する。
【００４４】
上記構成において、コードリール３２ｄの配置と炊飯器本体２１の外形について説明する。空間部３５ｄを有するコードリール３２ｄを制御基板２６の外方に配置し、制御基板２６上の形状の大きい駆動素子２７を空間部３５ｄで内包して収納可能とする構成とすることにより、コードリール３２ｄを空間部３５ｄで駆動素子２７を内包した高さだけ、制御基板２６に近接して配置することができ、炊飯器本体２１の側外形を小型化することができる。
【００４５】
また、ごくまれなことであるが炊飯器が誤動作し駆動素子２７が異常発熱した場合に備え、炊飯器の外郭を構成するボディ３０は駆動素子２７から距離をとり、安全性を確保する必要があるが、空間部３５ｄを貫通穴ではなく難燃性材料で成形したケース３３ｄまたは蓋３４ｄにより構成される有底凹形状の空間部３５ｄとすることにより、難燃性材料のケース３３ｄまたは蓋３４ｄにより駆動素子２７を覆うことにより駆動素子２７の異常発熱はボディ３０およびボディ３０外へ被害が拡大することなく、炊飯器異常動作時の炊飯器および炊飯器周囲の安全を確保と炊飯器本体の小型化を両立することができる。
【００４６】
このように本実施例によれば、コードリール３２ｄの形状を偏平な円板形状とし、空間部３５ｄをコードリール３２ｄの略中央部に凹形状を設け構成したので、制御基板２６上に配置した駆動素子２７などの形状が大きい部品を凹形状の空間部３５ｄで覆い配置することができるるとともに、炊飯器本体２１の外形を小型化することができる。
【００４７】
なお、本実施例では、制御基板２６を垂直に設けているが、制御基板２６の配置は垂直に限るものではなく、コードリール３２ｄを任意位置・角度に配置した制御基板２６の側近傍に配置することにより同様の効果を得ることができる。
【００４８】
また、空間部３５ｄは駆動素子２７を内包して収納可能としているが、空間部３５ｄに内包する制御基板２６上の構成部品は駆動素子２７に限るものではなく、制御基板を支持する支持部材（図示せず）、冷却ファン３９、放熱フィン２８または炊飯器本体２１の外郭部材をビスにより固定する場合のビスを受けるボス（図示せず）などコードリールに対し鍋側または炊飯器本体外郭側のどちらの構成部品であっても何ら問題はなく、同様の作用、効果を得ることができる。
【００４９】
また、コードリール３２ｄを保護枠２４の側方に基板面を略垂直に設けた制御基板２６の外方に配置しているが、上記実施例１または２と同様に、コードリール３２ｄを鍋の下方に配設し、凹形状を設けて形成した空間部３５ｄに鍋温度検知手段２３を支持する支持台と、誘導コイルにより構成される加熱手段を内包して収納可能とするよう構成してもよく、同様の作用、効果を得ることができる。
【００５０】
【発明の効果】
以上のように本発明の請求項１に記載の発明によれば、電源コードを収納するコードリールに炊飯器の内部構成部品の少なくとも一部を収納可能な空間部を設けたから、空間部に内部構成部品または内部構成部品の凸部分を配置することにより部品配置の自由度を拡大することができて、内部構成部品を効率的に配置することができ、炊飯器本体の外形を小型化することができる。
【００５１】
また、請求項２に記載の発明によれば、コードリールの形状を偏平な円板形状とし、空間部をコードリールの略中央部に凹形状を設け構成したから、内部構成部品を凹形状の空間部で覆い配置することができる。
【００５２】
また、請求項３に記載の発明によれば、コードリールの形状を偏平な円板形状とし、空間部をコードリールの略中央部に貫通穴を設け構成したから、コードリールの厚みより大きな内部構成部品を貫通穴の空間部に配置することができる。
【００５３】
また、請求項４に記載の発明によれば、コードリールを鍋の下方に配設し、空間部に鍋温度検知手段、加熱手段、保護枠の少なくともいずれかを収納可能としたから、炊飯器本体の側方向への外形を拡大させることなく、また炊飯器の高さを構成する部品と同じ高さにコードリールを配置することにより炊飯器本体の高さ方向への外形の拡大も同時に防止することができる。
【００５４】
また、請求項５に記載の発明によれば、電源コードと加熱手段の間に電磁波を遮へいする遮へい手段を設けたから、加熱手段より発生する電磁波がコードリール内の電源コードへ到達するのを遮へいすることができる。電磁波を遮へいすることにより、電源コードの発熱や電源ノイズ発生による炊飯器の誤動作などを防止しすることができ、電源コードと加熱手段の距離を小さくすることができる。
【００５５】
また、請求項６に記載の発明によれば、コードリールを鍋の側方に配設し、空間部に制御基板を構成する部材を収納可能としたから、コードリールを配置することにより炊飯器本体の側方向へ外形が拡大するのを防止することができる。
【図面の簡単な説明】
【図１】本発明の第１の実施例の炊飯器の一部切欠した側面図
【図２】同炊飯器のコードリールの拡大斜視図
【図３】同炊飯器のコードリールの取付状態を示す拡大斜視図
【図４】本発明の第２の実施例の炊飯器の一部切欠した側面図
【図５】本発明の第３の実施例の炊飯器の一部切欠した側面図
【図６】本発明の第４の実施例の炊飯器の一部切欠した側面図
【図７】従来の炊飯器の一部切欠した側面図
【符号の説明】
２１  炊飯器本体
２２  鍋
２３  鍋温度検知手段
２４  保護枠
２５  加熱手段
３０  ボディ
３１  電源コード
３２ａ  コードリール
３５ａ  空間部
【図１】
2004290345.tif 000003
【図２】
2004290345.tif 000004
【図３】
2004290345.tif 000005
【図４】
2004290345.tif 000006
【図５】
2004290345.tif 000007
【図６】
2004290345.tif 000008
【図７】
2004290345.tif 000009